(57)【要約】【課題】吸気型機械に入る空気流を調和するためのシステムを提供する。【解決手段】吸気型機械に入る空気流の物理的特性を調節する空気調和システム（ＡＣＳ）（２００）はモジュール（２０５）を有し、該モジュールは、周囲状態が所定の範囲内にある場合に空気流の物理的特性を調節するように構成され、且つ空気流へ流体を吹き付ける複数のノズル（２３５）を含んでいる非媒体型調和システム（２３０）と、空気流の物理的特性を調節して吸気型機械の追加出力を供給するように構成され、且つ直接交換媒体（２２０）及び流体分配マニホルド（２１０）を含んでいる媒体型調和システム（２６０）とを有する。非媒体型及び媒体型調和システムへ供給される流体が露点温度よりも高い場合、ＡＣＳは蒸発システムとして機能し、また露点温度よりも低い場合は、チリング・システムとして機能する。【選択図】図２
2010281559.tif 000002
【特許請求の範囲】
【請求項１】
吸気型機械に入る空気流を調和するためのシステムであって、
当該システムは、吸気型機械に入る空気流の物理的特性を調節するように構成された空気調和システム（ＡＣＳ）（２００）を有し、前記ＡＣＳ（２００）はモジュール（２０５）を有しており、前記モジュール（２０５）は、
周囲状態が所定の範囲内にある場合に空気流の物理的特性を調節するように構成された非媒体型調和システム（２３０）であって、空気流へ流体を吹き付けるのに適した複数のノズル（２３５）を含む非媒体型調和システム（２３０）と、
空気流の物理的特性を調節して前記吸気型機械の追加出力を供給するように構成された媒体型調和システム（２６０）であって、直接交換媒体（２２０）及び流体分配マニホルド（２１０）を含む媒体型調和システム（２６０）と、
を有しており、
前記非媒体型調和システム（２３０）へ及び前記媒体型調和システム（２６０）へ供給される流体がほぼ露点温度よりも高い場合には、前記ＡＣＳ（２００）が直接蒸発モードで動作し、また前記非媒体型調和システム（２３０）へ及び前記媒体型調和システム（２６０）へ供給される流体がほぼ露点温度よりも低い場合には、前記ＡＣＳ（２００）が直接チリング・モードで動作すること、
を特徴とするシステム。
【請求項２】
前記空気調和システム（２００）の前記モジュール（２０５）は、前記吸気型機械の入口システム（１００）内に配置され、前記入口システム（１００）は、耐候用フード（１０５）、入口フィルタ・ハウジング（１１０）、遷移部材（１２０）、入口ダクト（１２５）及び入口抽気加熱部分（１３５）の内の少なくとも１つを有している、請求項１記載のシステム。
【請求項３】
前記モジュール（２０５）内の構成要素の構成は、前記入口フィルタ・ハウジング（１１０）の下流に配置された前記非媒体型調和システム（２３０）と、前記非媒体型調和システム（２３０）の下流に配置された前記直接交換媒体（２２０）と、前記直接交換媒体（２２０）の上方に配置された流体分配パッド（２１５）と、前記流体分配パッド（２１５）の上方に配置された前記流体分配マニホルド（２１０）と、前記直接交換媒体（２２０）の下流に配置されたミスト除去装置（２２５）とを有している、請求項２記載のシステム。
【請求項４】
第１の調和回路（２５５）が、流体を前記複数のノズル（２３５）、前記流体分配マニホルド（２１０）、流体分配パッド（２１５）及び前記直接交換媒体（２２０）へ供給するための非チルド流体供給装置（２４０）と、供給された流体の一部分を収集するためのタンク（２５０）とを有している、請求項１記載のシステム。
【請求項５】
第２の調和回路（２８０）が、供給源から前記複数のノズル（２３５）、前記流体分配マニホルド（２１０）及び流体分配パッド（２１５）へ流体を送るように構成されたチルド流体供給装置（２６５）と、前記複数のノズル（２３５）、前記流体分配マニホルド（２１０）及び記流体分配パッド（２１５）によって散布された流体の一部分をタンク（２５０）へ送る流体戻り路（２４５）とを有している、請求項１記載のシステム。
【請求項６】
前記直接交換媒体（２２０）は、プラスチック、ナイロン、炭素繊維、セルロース、合成ポリマー、金属、又はそれらの組合せを有する材料で構成されている、請求項１記載のシステム。
【請求項７】
前記非媒体型調和システム（２３０）の前記複数のノズル（２３５）を出る流体のシステム圧力が約１５０ポンド／平方インチ未満である、請求項１記載のシステム。
【請求項８】
前記複数のノズルの各々のノズル寸法が約０．１インチ〜約０．２５インチである、請求項７記載のシステム。
【請求項９】
前記流体が、水、冷却剤、又はそれらの組合せを有しており、また前記供給源が、蓄熱システム、貯蔵タンク、及び冷却水システムの内の少なくとも１つを有している、請求項５記載のシステム。
【請求項１０】
前記ＡＣＳ（２００）の少なくとも１つの構成要素に対して洗浄機能を遂行させるように、前記複数のノズル（２３５）を通って流れる流体の流量を増大させる、請求項１記載のシステム。
【発明の詳細な説明】
【技術分野】
【０００１】
本発明は、一般的に云えば、吸気型機械(air-breathing machine) に入る空気流に関するものであり、より具体的には、吸気型機械の入口システムに入る空気流を調和するためのシステムに関するものである。
【背景技術】
【０００２】
吸気型機械は、多種多様な用途で用いられるエネルギを発生及び／又は変換する。このような機械は、熱交換機、吸気型ターボ機械（例えば、限定するものではないが、ガスタービン、航空機エンジン、航空機転用エンジン）などの形態を持つことができる。以下の記載では主にガスタービンに関連させて説明を行うが、記載される概念はガスタービンに制限されない。
【０００３】
ガスタービンは、典型的には、入口システム、圧縮機部分、燃焼器部分、タービン部分及び排気部分を含む。ガスタービンは次のように動作することができる。先ず、入口システムがガスタービンの周囲環境から空気流を受け取る。次いで、圧縮機部分が空気流を圧縮する。次いで、圧縮された空気流が燃焼器部分へ流れ、そこで燃料と混合されて燃焼することができる。次いで、燃焼プロセスによりガス状混合物が生じ、該混合物がタービン部分を駆動する。次いで、タービン部分がガス状混合物のエネルギをトルクの形態の機械的エネルギへ変換する。次いで、該トルクが、通例、発電機、機械的駆動装置又は同様な装置を駆動するために使用される。
【０００４】
ガスタービン性能は、通常、出力、熱効率及び／又は熱消費率によって決定される。流入する空気流の温度及び湿度が、ガスタービン性能に有意な影響を与える。一般に、ガスタービンは、空気流の温度が高くなるにつれて効率が悪くなる。
【０００５】
入口空気流温度を下げるために様々なシステムが利用されている。これらのシステムの主要な目標は、空気流温度及び／又は湿度が高くなっている周囲条件の下でガスタービン性能を増大させることである。この目標を達成しようとするこれらのシステムの試みは、圧縮機部分に入る前に空気流を調和することである。調和(conditioning)は、空気流の少なくとも１つの物理的特性を調節するプロセスと見なすことができる。物理的特性としては、限定するものではないが、湿球温度、乾球温度、湿度及び密度が挙げられる。空気流の物理的特性を調節すると、ガスタービンの性能が改善される効果が得られるはずである。
【０００６】
これらのシステムの既知の幾つかの例としては、蒸発冷却器、機械式チリング(chilling)装置、吸収式チリング装置、熱エネルギ・システムなどが挙げられる。これらのシステムは、ガスタービンの周りの様々な位置に設置することができる。
【０００７】
ガスタービンに入る空気流を調和するための既知のシステムには幾つかの問題がある。既知のシステムは、設置に伴う経費を正当化するほどの利益がない。蒸発冷却システムの使用は、高温多湿状態が目立つ地域で制限されることがある。既知のチリング・システムはコイルを必要とし、これはチリング・システムの費用を付加的にかなり大きくする。既知のガスタービン・パワープラントによっては、蒸発冷却システム及びチリング・システムの両方を採り入れている。この場合、これらのシステムの別々の構造は、余分な設置時間やガスタービンの近くの設置場所を必要とすると共に、運転及び点検保守費用も増大させる。
【先行技術文献】
【特許文献】
【０００８】
【特許文献１】米国特許第７３４３７４６号
【発明の概要】
【発明が解決しようとする課題】
【０００９】
以上の理由により、入口空気流を調和するための新規で改良されたシステムが要望されている。該システムは、高温多湿の地域での動作可能性をより大きくすることができると共に、高温の乾燥した地域でも効率よく動作するようにすべきである。該システムはまた、蒸発冷却及びチリング能力を備えることのできる単一の構造を提供すべきである。
【課題を解決するための手段】
【００１０】
本発明の一実施形態では、吸気型機械に入る空気流を調和するためのシステムを提供し、本システムは、吸気型機械に入る空気流の物理的特性を調節するように構成された空気調和システム（ＡＣＳ；air conditioning system ）（２００）を有する。ＡＣＳ（２００）はモジュール（２０５）を有し、該モジュール（２０５）は、周囲状態が所定の範囲内にある場合に空気流の物理的特性を調節するように構成された非媒体型(non-media) 調和システム（２３０）であって、空気流へ流体を吹き付けるのに適した複数のノズル（２３５）を含む非媒体型調和システム（２３０）と、空気流の物理的特性を調節して吸気型機械の追加出力を供給するように構成された媒体型(media) 調和システム（２６０）であって、直接交換媒体（２２０）及び流体分配マニホルド（２１０）を含む媒体型調和システム（２６０）とを有する。非媒体型調和システム（２３０）へ及び媒体型調和システム（２６０）へ供給される流体がほぼ露点温度よりも高い場合には、ＡＣＳ（２００）は直接蒸発モードで動作し、また非媒体型調和システム（２３０）へ及び媒体型調和システム（２６０）へ供給される流体がほぼ露点温度よりも低い場合には、ＡＣＳ（２００）は直接チリング・モードで動作する。
【００１１】
本発明のこれらの及び他の特徴、側面及び利点は、添付図面を参照した以下の詳しい説明を読むことによってより良く理解されよう。図面では、全図を通じて同様な部品を同様な参照符号で表している。
【図面の簡単な説明】
【００１２】
【図１】図１は、本発明の一実施形態が機能することのできる環境を例示する概略図である。
【図２】図２は、本発明の一実施形態に従った空気調和システムのモジュールを例示する概略立面図である。
【図３】図３は、本発明の一実施形態に従った空気調和システムの概要を例示する概略図である。
【発明を実施するための形態】
【００１３】
好ましい実施形態についての以下の詳しい説明では添付の図面を参照する。図面は本発明の特定の実施形態を例示する。異なる構造及び動作を持つ他の実施形態も本発明の範囲から逸脱しない。
【００１４】
本書では、或る特定の用語を便宜のためにのみ使用することができ、また該用語は本発明を制限するものとして考えるべきでない。例えば、「よりも上方」、「よりも下方」、「頂部」、「底部」、「上側」、「下側」、「左」、「前」、「右」、「水平」、「垂直」、「上流」、「下流」、「前方」及び「後方」のような用語は、単に図に示されている構成を記述するに過ぎない。事実、様々な構成要素は任意の方向に配置構成することができ、従って、用語は特別に指定しなければこのような変化を含むものとして理解されたい。
【００１５】
本書において、単数形で表され且つ数を特記していない要素及び段階は、特に明記していない限り、複数の要素及び段階を排除するものではないことを理解されたい。更に、本発明の「一実施態様」と云う場合、これは、その記載した特徴を同様に取り入れている更に別の実施態様を排除することを意図してはいない。
【００１６】
本発明の一実施形態は、例えば、限定するものではないが、ガスタービンなどのような吸気型機械に入る空気流を調和するための空気調和システム（ＡＣＳ）を提供する。記載されているとき、「調和」とは、空気流の少なくとも１つの物理的特性を調節するプロセスと見なすことができる。物理的特性としては、湿球温度、乾球温度、相対湿度、密度などを挙げることができる。本発明の一実施形態では、ＡＣＳの主要な構成要素（複数）は単一の構造内に配置することができ、この単一の構造はモジュールと見なすことができる。ＡＣＳの用途に応じて、複数のモジュールを吸気型機械上に物理的に及び／又は動作上で一体化することができる。以下の記載では、ガスタービンと一体化したＡＣＳの限定ではない実施形態について説明を行う。
【００１７】
本発明の一実施形態では、非媒体型調和システム及び媒体型調和システム（その各々を図２及び図３に例示する）を有するＡＣＳを提供することができる。一実施形態のＡＣＳは、蒸発システム・モード又はチリング・システム・モードのいずれかで動作する融通性を提供することができる。この場合、非媒体型調和システムへ及び媒体型調和システムへ供給される流体が露点温度よりも高いとき、ＡＣＳは蒸発システムとして働くことができる。同様に、非媒体型調和システムへ及び媒体型調和システムへ供給される流体が露点温度よりも低いとき、ＡＣＳはチリング・システムとして働くことができる。
【００１８】
次いで図面について説明すると、幾つかの図にわたって様々な参照数字は同様な要素を表しているが、図１は、本発明の一実施形態が動作することのできる環境を例示する概略図である。図１は、典型的にはガスタービンの圧縮機１４５と一体化される入口システム１００を例示する。入口システム１００の典型的な構成の概要を以下に説明する。本発明は入口システム１００の他の構成（図面に示していない）にも用いることができる。
【００１９】
入口システム１００は、圧縮機１４５によって引き込まれた気流（大きな矢印で表す）を通す。空気流は通常、ガスタービンが動作する環境から流入する。最初は、空気流は、雨、雪、雹などのような気象要素が圧縮機１４５に入るのを防止することができる耐候用フード１０５の周りを流れる。次いで、空気流は入口フィルタ・ハウジング１１０を通って流れることができ、入口フィルタ・ハウジング１１０は空気流から異物及びごみを除去する。次いで、空気流はＡＣＳ２００を通って流れることができ、ＡＣＳ２００は空気流の物理的特性を調和することができる。次いで、空気流は遷移部材１２０及び入口ダクト１２５を通って流れることができ、これらの要素は空気流の速度及び圧力を調節することができる。次いで、空気流は消音器部分１３０を通って流れることができる。次いで、空気流は入口抽気加熱システム１３５を通って流れることができ、入口抽気加熱システム１３５は、使用されたとき、圧縮機１４５に入る前に空気流温度を上昇させる。ごみ除去用網１４０又は同様なものを入口ダクト１２５の下流に配置することができ、これは一般にごみが圧縮機１４５に入るのを防止することができる。
【００２０】
図２は、本発明の一実施形態に従った空気調和システム２００のモジュール２０５を例示する概略立面図である。図２は、本発明の一実施形態がモジュール２０５に関して空気調和システム２００の主要な構成要素を持つことを例示している。図２はまた、本発明の一実施形態が複数のモジュール２０５を一体化できるようにするやり方を例示しており、複数のモジュール２０５の全ては入口システム１００内に収容することができる。図２には、３つの同様なモジュール２０５が積み重ねた構成で例示されている。読者の便宜のために、冗長な構成要素／要素の番号の使用は制限している。例えば、限定するものではないが、構成要素／要素番号２１０は、流体分配マニホルドを表すが、頂部のモジュール２０５についてのみ示されている。底部の２つのモジュール２０５もまた、図２に例示されているように、同じ流体分配マニホルドを持つ。
【００２１】
本発明の一実施形態では、ＡＣＳ２００の主要な構成要素はモジュール２０５内に配置することができる。これらの構成要素として、非媒体型調和システム２３０、媒体型調和システム２６０及びミスト除去装置２２５の構成要素を含むことができる。動作時において、モジュール２０５は、ヘッダ２７５から流体（例えば、限定するものではないが、水、冷却剤  又はそれらの組合せ）を受けることができる。ヘッダ２７５は、ＡＣＳ２００の動作モードに応じて、非チルド流体供給装置２４０又はチルド流体供給装置２６５から流体を受け取ることができる。次いで、ヘッダ２７５は、第３の弁３００へ及び／又はモジュール２０５へ直接に流体を放出することができる。
【００２２】
非媒体型調和システム２３０は一実施形態では複数のスプレー・ノズル２３５（図２に略図で示す）を備えることができる。これらのスプレー・ノズル２３５は、媒体型調和システム２６０に係合する前に空気流を予備調整するように作用することができる。この予備調整は、直接交換媒体２２０を出て行く空気流の温度分布をほぼ一様に設定しようとするものである。スプレー・ノズル２３５は、空気流が圧縮機１４５の入口に入る前に実質的に蒸発することのできる大きさの液滴を生成することができる。本発明の一実施形態では、スプレー・ノズル２３５は約０．１インチ〜約０．２５インチのノズル寸法を持つことができる。ここで、流体システム圧力は約１５０ポンド／平方インチ未満とすることができる。
【００２３】
一実施形態のモジュール２０５内に収容される媒体型調和システム２６０の構成要素として、流体分配マニホルド２１０と、流体分配パッド２１５と、直接交換媒体２２０と、チルド流体供給装置２６５とを含むことができる。流体分配マニホルド２１０は直接交換媒体２２０の上方に配置して、チルド流体供給装置２６５から流体を受け取ることができる。流体分配マニホルド２１０は、シャワーヘッドに類似した多ノズル構造の形態、又は同様な形態を持つことができる。
【００２４】
直接交換媒体２２０は、一般に、空気流の物理的特性（例えば、限定するものではないが、乾球温度など）を調節するために流体を利用する熱交換器として機能する。本質的に、一実施形態の直接交換媒体２２０は、流れている空気流に流体を直接に接触させることができる。流体の温度がより低ければ、乾球温度を低下させることができ、及び／又は空気流の別の物理的特性を調節することができる。
【００２５】
一実施形態の直接交換媒体２２０は、媒体型の熱交換器の形態を有することができる。この形態の直接交換媒体２２０は一般に、直接接触熱交換プロセスを提供し、該プロセスは、コイル型の熱交換器と比べて熱伝達抵抗を最小にすることができる。また更に、この実施形態の直接交換媒体２２０は、例えば、限定するものではないが、ナイロン、プラスチック、炭素繊維、セルロース材料、合成ポリマー、金属、又はそれらの組合せのような、波形交差溝付き材料から生成することができる。これにより、コイル型の熱交換器を形成するために通常用いられている比較的高価な銅の管及びアルミニウムのフィンを必要としないで済むと云う利益が得られる。この実施形態の直接交換媒体２２０は、熱伝達表面区域を形成するために使用される材料の量及び種類を低減することができ、その結果、費用及び重量をかなり低減することができる。
【００２６】
代替実施形態の媒体型調和システム２６０は、流体分配パッド２１５を有することができる。ここで、流体分配マニホルド２１０が流体分配パッド２１５全体にわたって流体を分配する。流体分配パッド２１５は、流体を直接交換媒体２２０へ配達するように作用する。これは、確実に直接交換媒体２２０を適切に湿潤させるのに役立つことができる。図２に例示されているように、流体分配パッド２１５は流体分配マニホルド２１０の真下に且つ直接交換媒体２２０の真上に配置することができる。
【００２７】
一実施形態の流体分配パッド２１５は、直接交換媒体２２０の上に空気流を導くために様々な大きさの流れ制限手段を含むことができる。この特徴は、流体分配パッド２１５に関連した流量を最適化できるようにすることができる。例えば、限定するものではないが、ＡＣＳ２００の一用途では、直接交換媒体２２０の第１の半部により多量の流体を必要とすることがある。この場合、流体分配パッド２１５は、直接交換媒体２２０の第１の半部に流体を送り出す部分に設ける複数の孔を、直接交換媒体２２０の第２の半部に流体を送り出す部分に設ける複数の孔よりも大きさが大きくなるようにすることができる。
【００２８】
モジュール２０５はまた、ミスト除去装置２２５を有することができる。ミスト除去装置２２５は一般に、非媒体型調和システム２３０及び／又は媒体型調和システム２６０の動作に起因して空気流に巻き込まれることのある流体の幾分かを除去するように作用する。図２に例示されているように、一実施形態のモジュール２０５では、ミスト除去装置２２５は非媒体型調和システム２３０及び媒体型調和システム２６０の下流に配置される。
【００２９】
図２はまた、ＡＣＳ２００の複数のモジュール２０５を単一の入口システム１００内に一体化することのできるやり方を例示している。図２は、３つの独立の非媒体型調和システム２３０がヘッダ２７５からの共通の非チルド流体供給装置及び共通の収集タンク２５０を持つことのできる態様を例示する。図２はまた、３つの独立の媒体型調和システム２６０がまたヘッダ２７５からの共通のチルド流体供給装置及び流体戻り路２４５を持つことのでき、且つそれらの全てが非媒体型調和システム２３０と収集タンク２５０を共用する態様を例示する。
【００３０】
図３は、本発明の一実施形態に従った空気調和システム２００の概要を例示する概略図である。図３はＡＣＳ２００の構成要素を例示しており、その中にはモジュール２０５内に配置されないものも含まれている。以下に説明されるように、それらの構成要素は、第１の調和回路２５５及び／又は第２の調和回路２８０の一部であってよい。第１の調和回路２５５は、直接蒸発冷却モードで動作するＡＣＳ２００を表すことができる。この場合、第１の調和回路は、非チルド流体供給装置２４０と、非媒体型調和システム２３０と、媒体型調和システム２６０と、収集タンク２５０と、流体戻り路２４５（これは、ポンプ２７０に接続することができる）と、第１の弁２９０（これは、三方弁で構成することができる）と、第３の弁３００とを有することができる。第１の調和回路２５５はまた、補給流体供給装置３０５及び補給流体供給弁３１０も有することができ、これらは共同して、蒸発プロセス中に消費された流体を第１の調和回路２５５に補充するように動作することができる。
【００３１】
第２の調和回路２８０は、直接チリング・モードで動作するＡＣＳ２００を表すことができる。第２の調和回路２８０か、チルド流体供給装置２６５と、非媒体型調和システム２３０と、媒体型調和システム２６０と、収集タンク２５０と、流体戻り路２４５と、ポンプ２７０と、第１の弁２９０と、供給源２８５と、第２の弁２９５と、第３の弁３００とを有することができる。
【００３２】
使用の際、ＡＣＳ２００は少なくとも２つの動作モード、すなわち、主に第１の調和回路２５５を使用することのできる蒸発冷却モードと、主に第２の調和回路２８０を使用することのできるチリング・モードを有することができる。前に述べたように、一実施形態のＡＣＳ２００は、蒸発システム・モード又はチリング・システム・モードのいずれかで動作する融通性を提供することができる。この場合、非媒体型調和システム２３０へ及び媒体型調和システム２６０へ供給される流体が露点温度よりも高いとき、ＡＣＳ２００は蒸発冷却システムとして機能することができる。同様に、非媒体型調和システム２３０へ及び媒体型調和システム２６０へ供給される流体が露点温度よりも低いとき、ＡＣＳ２００はチリング・システムとして機能することができる。
【００３３】
以下に一実施形態のＡＣＳ２００の動作の概要を説明する。ここで説明する実施形態は、流体分配パッド２１５を含むものである。流体分配パッド２１５を含んでいない他の実施形態のＡＣＳ２００は、同様な動作方法に従うことができる。
【００３４】
蒸発冷却モードにおけるＡＣＳ２００は、限定するものではないが、以下の段階を有することができる。非媒体型調和システム２３０及び媒体型調和システム２６０（それらの一部は、モジュール２０５内に設けることができる）が、非チルド流体供給装置２４０から供給することのできる流体を、ヘッダ２７５を介してほぼ同時に受け取ることができる。次いで、空気流がモジュール２０５を通って流れているとき、スプレー・ノズル２３５が空気流に前記流体を吹き付けることができる。次いで、空気流が下流へ流れるにつれて、流体分配パッド２１５が、そのとき直接交換媒体２２０を通って流れている空気流に直接に流体を分配することができる。次いで、流体の一部分が収集タンク２５０へ流出することができる。
【００３５】
次いで、流体戻り路２４５が収集タンク２５０内の流体の幾分かをポンプ２７０の入口へ送り出すことができる。更にまた、補給流体供給装置３０５及び補給流体供給弁３１０が、ポンプ２７０の入口へ補給流体を供給するように動作することができる。次いで、ポンプ２７０の出口から第１の弁２９０へ向けて流体を移動させることができる。第１の弁２９０は、三方弁である場合、ポンプ２７０からの流体を第１の調和回路２５５内に流れさせることができる。
【００３６】
空気流は、非媒体型調和システム２３０及び直接交換媒体２２０を通った後、下流のミスト除去装置２２５へ流れることができる。同時に、補給流体供給装置３０５が補給流体供給弁３１０を介して第１の調和回路２５５へ補給流体を供給することができる。前に述べたように、補給流体は一般に、蒸発プロセス中に消費された流体を補充するように作用する。
【００３７】
本発明の一実施形態では、第１の調和回路２５５は流体を垂直及び水平方向から空気流に吹き付けることができる。この場合、第１の調和回路２５５が動作しているとき、第３の弁３００を開くことができる。
【００３８】
チリング・モードの動作は、限定するものではないが、以下の段階を有することができる。非媒体型調和システム２３０及び媒体型調和システム２６０（それらの一部は、モジュール２０５内に設けることができる）が、チルド流体供給装置２６５から供給することのできる流体を、ヘッダ２７５を介してほぼ同時に受け取ることができる。次いで、空気流がモジュール２０５を通って流れているとき、スプレー・ノズル２３５が空気流に前記流体を吹き付けることができる。次いで、流体分配パッド２１５が、直接交換媒体２２０を通って流れている空気流に流体を係合させることができる。次いで、流体の一部分が収集タンク２５０内へ流出することができる。次いで、流体戻り路２４５が収集タンク２５０内の流体の幾分かをポンプ２７０の入口へ送り出すことができる。次いで、ポンプ２７０の出口から第１の弁２９０へ向けて流体を移動させることができる。ここで、第１の弁２９０は、ポンプ２７０からの流体を第２の調和回路２８０内に流れさせることができる。追加の流体が必要とされる場合、供給源２８５がまた第２の調和回路２８０へ流体を供給することができる。供給源２８５は、必要な流量及び圧力の流体を送り出すことの可能な任意の供給装置で構成することができる。例えば、限定するものではないが、供給源２８５は、蓄熱システム、貯蔵タンク、冷却流体システム又は同様な装置の内の少なくとも１つを有することができる。空気流は、直接交換媒体２２０を通った後、下流のミスト除去装置２２５へ流れることができる。
【００３９】
本発明の一実施形態では、ノズルを通って流れる流体の流量を増大させることにより、ＡＣＳ２００の構成要素に対して洗浄機能を遂行することができる。この特徴は、ＡＣＳ２００の動作効率及び有効性を維持するのに役立つことができる。例えば、限定するものではないが、洗浄機能は直接交換媒体２２０を洗浄することができる。
【００４０】
記載されているように、本発明の様々な実施形態は、既知のシステムに比して複数の利益及び利点をユーザーに提供する。本発明の一実施形態は、空気調和システム２００に直接交換媒体２２０を使用しているため、より広範な用途及び利用法を提供することができる。温度レベルに応じて、空気流の調和は、ａ）流体の温度が空気流の湿球温度以上である場合に、純粋な蒸発プロセスを介して、或いはｂ）流体の温度が空気流の湿球温度より実質的に低い場合に、チリング・プロセスにおいて生じることができる。本発明の様々な実施形態は、流体の温度を調整することによって調和の範囲を制御する融通性を提供することができる。
【００４１】
本発明の一実施形態は、動力発生の際に直接蒸発冷却と直接チリングとの選択肢を与えることによって、ガスタービン運転経費に対する融通性をより広げることができる。本発明の一実施形態は、既知のチリング装置のコイル・ユニットに比べて費用対効果を改善し、実装費用を低減し、圧力降下を低くし、他の構造的利益をもたらすことができる。
【００４２】
本発明をその少数の実施形態についてのみかなり詳しく図示し説明したが、当業者には、本発明の新規な教示及び利点から実質的に逸脱することなく、特に上記の教示を踏まえて、開示した実施形態に対して様々な修正、省略及び追加を行うことができるので、本発明が該実施形態に制限されるものでは無いことが理解されよう。従って、このような全ての修正、省略及び追加は、特許請求の範囲の記載によって規定されるような本発明の精神及び範囲内に含むことができるものとして保護されるものとする。
【符号の説明】
【００４３】
１００  入口システム
１０５  耐候用フード
１１０  入口フィルタ・ハウジング
１２０  遷移部材
１２５  入口ダクト
１３０  消音器部分
１３５  入口抽気加熱システム
１４０  ごみ除去用網
１４５  圧縮機
２００  空気調和システム
２０５  モジュール
２１０  流体分配マニホルド
２１５  流体分配パッド
２２０  直接交換媒体
２２５  ミスト除去装置
２３０  非媒体型調和システム
２３５  スプレー・ノズル
２４０  非チルド流体供給装置
２４５  流体戻り路
２５０  収集タンク
２５５  第１の調和回路
２６０  媒体型調和システム
２６５  チルド流体供給装置
２７０  ポンプ
２７５  ヘッダ
２８０  第２の調和回路
２８５  チルド流体 供給源
２９０  第１の弁
２９５  第２の弁
３００  第３の弁
３０５  補給流体供給装置
３１０  補給流体供給弁
【図１】
2010281559.tif 000003
【図２】
2010281559.tif 000004
【図３】
2010281559.tif 000005